(57)【特許請求の範囲】
【請求項１】
出入口の床面に埋設された収納凹部体に防水扉と蓋部材とを配設し、防水扉を収納凹部体の開口を閉塞する状態から前記出入口を閉塞する状態に起立させることで、出入口からの水の侵入を防止するようにした防水扉装置において、前記蓋部材の先端部は防水扉の基部にヒンジ部材を介して連結され、防水扉の起倒動作によって防水扉の基部と蓋部材の先端部とを同一方向に連動して移動させるようにしたことを特徴とする防水扉装置。
【請求項２】
蓋部材に設けた取付部と収納凹部体に設けたブラケットとをリンク部材によって連結し、防水扉の基部が収納凹部体の底板に向けて移動した時に、蓋部材の後端部を上方にむけて移動させるようにしたことを特徴とする請求項１記載の防水扉装置。
【発明の詳細な説明】
【技術分野】
【０００１】
本発明は、出入口からの水の侵入を防止するように構成された防水扉装置に関する。
【背景技術】
【０００２】
従来、防水扉装置は、出入口の床面に埋設された収納凹部体に防水扉と蓋部材とを配設し、防水扉を収納凹部体の開口を閉塞する状態から前記出入口を閉塞する状態に起立させることで、出入口からの水の侵入を防止するようにしたものである。また、前記蓋部材は、特許文献１のように、収納凹部体から作業員によって取り外して収納凹部体から離れた場所に移動させるものや、特許文献２のように、補助扉（蓋部材）を複数のブラケットを介して前後に起倒自在に装着し、起立する防水扉によって補助扉の先端部側を上方に起立させるものが知られている。
【先行技術文献】
【特許文献】
【０００３】
【特許文献１】特開２００８−１６３６３８号公報
【特許文献２】特開２０００−２４０３５１号公報
【発明の概要】
【発明が解決しようとする課題】
【０００４】
しかし、特許文献１では、作業員が蓋部材を収納凹部体から取り外すのを忘れた状態で防水扉を起立させてしまうと、防水扉の基部と蓋部材とが接触して防水扉と蓋部材のいずれかを破損させるおそれがあり、防水扉を起立させる毎に、蓋部材を収納凹部体から取り外さなければならない煩わしさがあった。また、蓋部材が収納凹部体から離れた場所に置かれているので、防水扉を収納凹部体の開口を閉塞させた後、蓋部材を取り付けることを忘れるおそれがあった。
更に、特許文献２では、補助扉の先端部を起立する防水扉の上面に接触させながら上方に移動させる構成のために、防水扉の上面に車や歩行者によって凸凹が生じてしまうと、その凸凹に補助扉の先端部が引っ掛かってしまい、防水扉の起倒動作に影響を与えるおそれがあった。そこで本発明の課題は、上記問題点に鑑み、防水扉と蓋部材とを確実に起立させるようにした防水扉装置を提供することを目的とする。
【課題を解決するための手段】
【０００５】
本発明は、出入口の床面に埋設された収納凹部体に防水扉と蓋部材とを配設し、防水扉を収納凹部体の開口を閉塞する状態から前記出入口を閉塞する状態に起立させることで、出入口からの水の侵入を防止するようにした防水扉装置において、前記蓋部材の先端部は防水扉の基部にヒンジ部材を介して連結され、防水扉の起倒動作によって防水扉の基部と蓋部材の先端部とを同一方向に連動して移動させるようにしたことを特徴とする。具体的には、蓋部材に設けた取付部と収納凹部体に設けたブラケットとをリンク部材によって連結し、防水扉の基部が収納凹部体の底板に向けて移動した時に、蓋部材の後端部を上方にむけて移動させるようにしたことを特徴とする。
【発明の効果】
【０００６】
本発明では、防水扉の起倒動作によって蓋部材の先端部を防水扉の基部と同一方向に連動して移動するので、防水扉を起立させる毎に、蓋部材を収納凹部体から移動させる煩わしさを無くすことが可能となる。更に、蓋部材の先端部と防水扉の基部とをヒンジ部材を介して連結したので、起倒動作する防水扉と蓋部材とが接触することがないから、防水扉の上面に蓋部材が引っ掛かることがなく、確実に防水扉を起倒させることが可能となる。また、蓋部材に設けた取付部と収納凹部体に設けたブラケットとをリンク部材によって連結したことで、防水扉の基部が収納凹部体の底板に向けて移動した時に、確実に蓋部材の後端部を上方にむけて移動させることが可能となる。
【図面の簡単な説明】
【０００７】
【図１】本発明の防水扉装置を示し、防水扉の一部を省略した図である。
【図２】図１のＩＩ−ＩＩ線断面図である。
【図３】防水扉の起倒動作を示す図である。
【図４】防水扉が出入口を閉塞する状態を示す図である。
【図５】図４のＶ視図である。
【発明を実施するための形態】
【０００８】
図１に示す防水扉装置１は、出入口の床面Ｆに埋設された収納凹部体２に防水扉３と蓋部材４とを配設し、防水扉３を収納凹部体２の開口を閉塞する状態（図２の水平位置Ａ）から前記出入口を閉塞する状態（図４の起立位置Ｂ）に起立させることで、出入口からの水の侵入を防止するようにしたものである。本実施形態の防水扉３は、ヒンジ機構５、起立状態保持機構６により水平位置Ａから起立位置Ｂに起立させ、その状態を保持するようになっている。また、本実施形態の防水扉３と蓋部材４は、板部材を屈曲して成る枠体にモルタルやコンクリートや石等の部材を組み付けたものである。前記ヒンジ機構５は、防水扉３の基部３ａの左右に設けた第１取付部７と、収納凹部体２の前板２ａ側に設置した固定部８の上面に設けた突起部９とをピン部材１０を介して連結して成り、前記起立状態保持機構６は、防水扉３の中央位置に設けた第２取付部１１と収納凹部体２の底板２ｂの中央位置に設けた支持部１２とを支持アーム１３を介して連結して成るものである。前記支持アーム１３はアーム部材１３ａ，１３ｂをピン連結して構成されている。
【０００９】
前記収納凹部体２は、底板２ｂと前後左右板２ａ，２ｃ，２ｄにより上方を開口した箱型形状に形成されたものである。その収納凹部体２に沿って縁材１４が取り付けられている。収納凹部体２の左右板２ｄ側には第１シール部材１５付きの扉枠１６が立設されている。その第１シール部材１５の下端部と前記固定部８の上面に備えた第２シール部材１７の両端とを連続させてある。また、防水扉３の基部３ａには第３シール部材１８が取り付けられ、防水扉３の左右の側部３ｂには前記第３シール部材１８から先端部３ｃまで延びる板部材１９が取り付けられている。更に、収納凹部体２には図示しない排水管が連結され、その排水管を通って収納凹部体２内に侵入してきた水を排水するようになっている。
【００１０】
前記収納凹部体２の前板２ａ側の左右位置にはブラケット２０が設置されている。各ブラケット２０には軸部材２１が備えられている。リンク部材２２の一方の端部が前記軸部材２１に連結されている。リンク部材２２のもう一方の端部は、収納凹部体２に配設される蓋部材４の下面の中央位置に設けた第３取付部２３に備えた軸部材２４に連結されている。蓋部材４の先端部４ａには複数（例えば３個）のヒンジ部材２５の一方が連結され、他方は防水扉３の基部３ａに連結されている。また、リンク部材２２の長さ及び、ブラケット２０の軸部材２１の設置位置は、蓋部材４が収納凹部体２の開口を閉塞する状態の時には、図２に示すように、蓋部材４の上面と防水扉３の上面とを面一させ、蓋部材４が防水扉３に連動して移動する時には、蓋部材４の後端部４ｂが収納凹部体２に接触しないように夫々調整されている。よって、図３に示すように、防水扉３の基部３ａを収納凹部体２の底板２ｂに向けて移動させると、蓋部材４の先端部４ａが防水扉３の基部３ａと同一方向に連動して収納凹部体２の底板２ｂに向けて移動し、防水扉３が出入口の開口を閉塞する状態となると、蓋部材４は、図４に示すように、先端部４ａが収納凹部体２の底板２ｂに向き、後端部４ｂを上方に向けた略起立状態となる。
【００１１】
次に、上記のように構成された防水扉装置１の作動について説明する。建物や駐車場等の出入口の床面Ｆに設置される防水扉装置１は、防水扉３と蓋部材４により収納凹部体２の開口が閉塞されている（図２の状態）。大雨等によって建物や駐車場等の出入口に浸水が生じる恐れが発生した場合には、作業員が防水扉３の先端部３ｃを持ち上げ（図３の状態）、防水扉３をヒンジ機構５により水平位置Ａから起立位置Ｂに向けて移動させる（図４の状態）。このとき、防水扉３の基部３ａが収納凹部体２の底板２ｂに向けて移動することで、防水扉３の基部３ａにヒンジ部材２５を介して連結した蓋部材４の先端部４ａが防水扉３の基部３ａと同一方向に連動して収納凹部体２の底板２ｂに向けて移動する。その後、防水扉３は出入口を閉塞する状態（起立位置Ｂ）まで移動し、防水扉３の基部３ａのシール部材１８をシール部材１７に圧接させ、図５に示すように、側部３ｂの板部材１９をシール部材１５に係合させるようになっている。この状態は起立状態保持機構６により保持されることになる。また、防水扉３の基部３ａにヒンジ部材２５を介して連結した蓋部材４は、略起立状態となり、防水扉３と共にこの状態が保持されるようになっている。再び防水扉３と蓋部材４により収納凹部体２の開口を閉塞させる場合には、上記と逆の動作をするようになっている。
【００１２】
以上のことから、防水扉３の起倒動作によって蓋部材４の先端部４ａを防水扉３の基部３ａと同一方向に連動して移動するので、従来のように、防水扉３を起立させる毎に、蓋部材４を収納凹部体２から移動させるような煩わしさがない。更に、蓋部材４の先端部４ａと防水扉３の基部３ａとをヒンジ部材２５を介して連結したので、起倒動作する防水扉３と蓋部材４とが接触することがないから、従来のように、防水扉３の上面に蓋部材（補助扉）４が引っ掛かることがなく、防水扉３の起倒動作に影響を与えることがなく、確実に防水扉３を起倒させることができる。また、蓋部材４に設けた取付部２３と収納凹部体２に設けたブラケット２０とをリンク部材２２によって連結したことで、防水扉３の基部３ａが収納凹部体２の底板２ｂに向けて移動した時に、確実に蓋部材４の後端部４ｂを上方にむけて移動させることができる。
【符号の説明】
【００１３】
１      防水扉装置
２      収納凹部体
２ｂ    底板
３      防水扉
３ａ    基部
４      蓋部材
４ａ    先端部
４ｂ    後端部
２０    ブラケット
２２    リンク部材
２３    取付部
２５    ヒンジ部材
Ａ      水平位置
Ｂ      起立位置
Ｆ      床面
【図１】
0005382360.tif 000002
【図２】
0005382360.tif 000003
【図３】
0005382360.tif 000004
【図４】
0005382360.tif 000005
【図５】
0005382360.tif 000006